(57)【要約】【課題】  本発明は、ワイヤハーネス用のチューブ材及び同チューブ材付ワイヤハーネスの製造法に関するものである。【解決手段】  多数の細電線１束の外周部に強靭で透明性かつ難燃性を有する化学繊維糸で編組したチューブ材６を被覆して成るワイヤハーネス５であり、このワイヤハーネスは、ウーブンブレーダの台板上に配置した多数本のボビンに強靭で透明性かつ難燃性の化学繊維糸をセットし、このボビン群の中心部には収容器体を設置し、この収容器体に収容する細電線束の外周部に対し，細電線束の上端一部から突出した空編み部分７に掛止めたフック付ロープによる巻き上げと同時に全ボビンにセットした化学繊維糸を一斉に交叉して高速回転しながら編組するようにするワイヤハーネスの製造法である。【選択図】    図１
2015023660.tif 000002
【特許請求の範囲】
【請求項１】
多数の細電線束の外周部に強靭で透明性かつ難燃性を有する化学繊維糸により編組して成ることを特徴とするチューブ材。
【請求項２】
多数の細電線束の外周部に強靭で透明性かつ難燃性を有する化学繊維糸で編組したチューブ材を被覆して成ることを特徴とするワイヤハーネス。
【請求項３】
多数の細電線束の外周部に強靭で透明性かつ難燃性を有する化学繊維糸で編組したチューブ材を被覆して成ることを特徴とするスロット筺体におけるワイヤハーネス。
【請求項４】
ウーブンブレーダの台板上に配置した多数本のボビンに強靭で透明性かつ難燃性の化学繊維糸をセットし、このボビン群の中心部には収容器体を設置し、この収容器体に収容する細電線束の外周部に対し，細電線束の上端一部から突出した空編み部分に掛止めたフック付ロープによる巻き上げと同時に全ボビンにセットした化学繊維糸を一斉に交叉して高速回転しながら編組することを特徴とするワイヤハーネスの製造法。
【発明の詳細な説明】
【技術分野】
【０００１】
本発明は、ワイヤハーネス用のチューブ材及び同チューブ材付ワイヤハーネスの製造法に関するものである。
【背景技術】
【０００２】
例えば遊技機の一種であるスロット・マシンの筺体において、長年課題となっていることは、筺体のメーンドアの開閉部やキャビネットボックスの付近に配置されるワイヤハーネスが、ドアの開閉時に起こる挟み込まれによって断線事故を起すことがしばしばある点である。
【０００３】
そこで、このような筺体のメーンドアの開閉時に起こるワイヤハーネスへの挟み込まれを防止するために、従来ワイヤハーネスをビニールチューブで被覆するものが存したが、これでも筺体ドアの開閉時の挟み込みによって起こる断線事故の発生は跡を絶たないのである。
【０００４】
また、遊技機に使用するワイヤハーネスは、各電線の印字が外部から明確に視認できるものでなければならない規則があることも重要な点である。
【０００５】
そこで、これらの技術的課題を解決することができる技術について特許文献を調査したところ、難燃性の樹脂繊維を円筒状に千鳥打編組した被覆保護用のチューブ（特許文献１）、外層が内層より固いプラスチック材によって形成されたワイヤハーネス用ネットチューブ（特許文献２）、導体の外側に透明絶縁層を形成した電線（特許文献３）、難燃性と透明性を有する熱収縮性チューブ（特許文献４）、難燃性と透明性を有する樹脂組成物と、それを用いたフラットケーブル，チューブ（特許文献５）が存することがわかった。
【先行技術文献】
【特許文献】
【０００６】
【特許文献１】実開昭５７−１９０９９０号公報
【特許文献２】実開平５−１１７２０号公報
【特許文献３】実開平６−７０１１７号公報
【特許文献４】特許第２９０３６１３号公報
【特許文献５】特許第３４５６５９５号公報
【発明の概要】
【発明が解決しようとする課題】
【０００７】
従来から行われているワイヤハーネスの製造工程を説明すると、次のとおりである。
【０００８】
（１）多数本の細電線を所定長さに切断する。
【０００９】
（２）前記細電線束に成る起点部において、各細電線に連結した各端子を介してコネクタに挿入固着する。
【００１０】
（３）さらに、前記細電線束の行先部において、各細電線に連結した各端子を介してコネクタに挿入固着する。
【００１１】
（４）多数本の細電線束を一体に結束してワイヤハーネスを構成する。
【００１２】
（５）このように成るワイヤハーネスの外周部に対し、非透明性のビニールチューブを挿通し被覆する。このチューブ材の挿通被覆作業は、ワイヤハーネスの仕上り寸法が長い場合には、男性作業員の力でも困難で非常に苦労する作業となっている。
【００１３】
そこで、本発明はこのような作業上の欠点を一掃するために改良したチューブ材とそれによるワイヤハーネスの製造法を提供しようとするもので、これによって全体の作業効率を向上することを目的とするものである。
【課題を解決するための手段】
【００１４】
本発明に係るチューブ材は、摩擦力に対し強靭で透明性かつ難燃性を有する化学繊維糸によって編成するものである。
【００１５】
このチューブ材を使用するワイヤハーネスの製造工程を説明すると、次のとおりである。
【００１６】
１．異色彩の皮膜による多数本の細電線を所定長さに切断する。
【００１７】
２．前記細電線束に成る各電線の一端部にはそれぞれ端子を連結し、細電線束の起点部となる各細電線の端子を介してコネクタの各孔に挿入して固着する。
【００１８】
３．前記細電線束の行先部において、各細電線に連結した各端子を介してコネクタの各孔に挿入して固着する。
【００１９】
４．必要本数の前記細電線を一体に結束してワイヤハーネスを構成する。
【００２０】
５．このように成る多数本の細電線束であるワイヤハーネスの外周部に対し、糸を編み上げる機械であるウーブンブレーダを、次のように操作して編成したチューブ材によって被覆する。
【００２１】
（１）ウーブンブレーダの台板上に円形に配置する多数個のボビンに、強靭で透明性かつ難燃性の化学繊維糸を巻きつけてセットする。台板上のボビン群の中心部位には、前記細電線束であるワイヤハーネスの収容器体を設置する。
【００２２】
また、前記収容器体の上方部には、多数のボビンから派生されている化学繊糸維をワイヤハーネスの外周部に編み込みながらこの電線束を引き上げるためのフック付ロープを配置する。このフック付ロープは、ウーブンブレーダの作用に連動して巻き上げられるものであるから、その懸引力によって編み込まれた糸と一緒にワイヤハーネスを上方向に引張り上げるようになる。
【００２３】
（２）そこで、ウーブンブレーダの台板上の中心部に設置した収容器体内に、長尺のワイヤハーネスを、その起点側を上方向にして配置する。同時に、予めワイヤハーネスの起点部に固着したコネクタのやや下部付近に編組していた化学繊維糸の空編み部分を外方部に突出させかつこの突出外端部は高周波溶着する。
【００２４】
（３）この外端部を固着したチューブ材の突出外端部に、上方部に臨設するフック付ロープのフックを掛止める。この状態においては、前記空編み部分の突出部に連続する全ボビンから配出されている化学繊維糸は、ワイヤハーネスの起点部付近において部分的な編組状態にある。
【００２５】
（４）そこで、ウーブンブレーダのスイッチを入れると、ブレーダの台板上に配置された全ボビン上の化学繊維糸が一斉に引張られ交叉しながら高速回転するが、これによりハーネスの外周部に対する編み込みが開始され、同時に天井部に設置されている巻取ドラムの回転により、フック付ロープは巻き上げを開始するようになる。
【００２６】
（５）ワイヤハーネスに対する化学繊維糸による編組が所定寸法に到達した時、ブレーダのスイッチを切る。
【発明の効果】
【００２７】
本発明は、このような構成から成るワイヤハーネスのチューブ材であるため、以下のような効果を発揮するものである。
【００２８】
第１に、ワイヤハーネスに被覆するチューブ材は、強靭で透明性かつ難燃性のある化学繊維糸をボビンの高速回転で交叉して編組するものであるから、短時間のうちに大量のチューブ材付きのワイヤハーネスを製造することができ、生産効率がきわめて良好となる。
【００２９】
第２に、ワイヤハーネスに被覆するチューブ材は化学繊維糸による編組から成るものであるから、スロットマシンの筺体の開閉ドア部などの狭い場所において使用される場合にあってはワイヤハーネス全体が柔軟性のあるものとなり、ビニールチューブ製のものに比してきわめて実用性の高いものとなっている。
【００３０】
第３に、ワイヤハーネスの外周部に被覆するチューブ材は透明性に成るものであるから、特にスロットマシンのキャビネットボックスとメーンドアとの間の開閉箇所に使用されている場合に、ワイヤハーネスにおける各細電線上の記号やマークの表示を外部からよく視認することができ、故障時の各細電線に対して店員による対応が正確かつ迅速に行われるようになる。
【図面の簡単な説明】
【００３１】
【図１】本発明のワイヤハーネス部の斜視図
【図２】本発明の装置要部の斜視図
【図３】本発明の装置全体を示す概略図
【発明を実施するための形態】
【００３２】
本発明において、ワイヤハーネスのチューブ材として使用する部材は、摩擦力に対して強靭で透明性かつ難燃性の化学繊維糸であり、このチューブ材は特にスロット筺体において使用するワイヤハーネスについて使用する。
【００３３】
また、本発明は、ワイヤハーネスの製造においては、ブレーダの台板上に配置した多数本のボビンに前記化学繊維糸をセットし、このボビン群の中心部に設置した収容器体には長尺のワイヤハーネスを収容し、このワイヤハーネスの行先側の外周部の突出外端部において、編組製作した前記化学繊維糸によるチューブ材の空編み部分にフック付ロープのフックを掛止めた後、前記ブレーダを作動してボビン上の化学繊維糸を高速で交叉回転しワイヤハーネスの全面にチューブ材を編成するものである。
【実施例】
【００３４】
１・・ワイヤハーネスを構成する細電線で、この細電線は銅線に任意の色彩被膜材から成る。
【００３５】
この細電線の被膜材の両端部には端子２，２’を連結する。
【００３６】
前記各端子２，２’の一方は所定のコネクタ３の各孔に接続し、他方は別定のコネクタ４に接続する。
【００３７】
５は前記細電線１・・を必要本数結束したワイヤハーネスを示し、このワイヤハーネスの外周部には摩擦力に対して強靭で透明性かつ難燃性を有する化学繊維糸で編組したチューブ材６を被膜材として被覆する。
【００３８】
７は編組したチューブ材６のワイヤハーネス５の行先側の外周部の一部分に突出して作製した空編み部分で、この空編み部分の端部は高周波溶着する。この空編み部分７の端部には、作業開始時にフック付ロープ８のフック９を掛け止める。
【００３９】
１０はウーブンブレーダの全体を示す。
【００４０】
１１は前記ウーブンブレーダ１０の台板で、その大きさは任意である。
【００４１】
１２・・は前記ウーブンブレーダ１０の台板１１上に中央部に設置する収容器体１３を包囲するように配置する多数個のボビンであり、全ボビンには前記化学繊維糸が巻着し、この各糸は図２に示すように上方中央部において絡まった状態で引張り上げられるようになる。
【００４２】
１３は工場の天井部に設置する巻取ドラムで、この巻取ドラムは前記ウーブンブレーダ１０の上方部に設置するリール１４を介してチューブ材６を被覆したワイヤハーネス５を巻き取るようにする。
【００４３】
１５は前記巻取ドラム１３と同軸上に設けた駆動輪で、この駆動輪は他方の駆動輪１６との間にロープ１７を懸架して前記巻取ドラム１３を回転するようにする。
【符号の説明】
【００４４】
１                    細電線
２，２’              端子
３                    コネクタ
４                    コネクタ
５                    ワイヤハーネス
６                    チューブ材
７                    空編み部分
８                    フック付ロープ
９                    フック
１０                  ウーブンブレーダ
１１                  台板
１２・・              ボビン
１３                  巻取ドラム
１４                  リール
１５，１６            駆動輪
１７                  ロープ
【図１】
2015023660.tif 000003
【図２】
2015023660.tif 000004
【図３】
2015023660.tif 000005